(57)【要約】【課題】各種の光ディスクに対して安定かつ高精度でＩ−Ｐ補正が可能な光ディスク記録／再生装置とそのレーザパワー制御方法を提供する。【解決手段】ピックアップ１０２を構成する半導体レーザのレーザ光を光ディスク１０１に照射して記録情報の記録／再生を行う光ディスク記録／再生装置は、半導体レーザを駆動するレーザドライバ１０５と、レーザ光のパワーをモニタするＩ−Ｖアンプ１０４と、駆動電流を光ディスクの種類に応じて記録波形により調整するアナログ信号処理回路１０８とを備え、アナログ信号処理回路１０８は、さらに、傾きＤＡＣ調整時には、目標点を、標準でイレーズパワーを自動調整の目標とする媒体に対しては、リードパワーの記録波形とし、又は、マルチパルスで情報記録を行う光ディスクには、マルチパルスをモノパルス化してレーザ光のパワーをモニタし、駆動電流に対するレーザ発光量を補正する。【選択図】      図１
2004273011.tif 000002
【特許請求の範囲】
【請求項１】
半導体レーザからのレーザ光を光ディスクに照射して記録情報の記録／再生を行う光ディスク記録／再生装置であって、前記半導体レーザに駆動電流を供給する手段と、前記供給手段により供給される半導体レーザの駆動電流を前記光ディスクの種類に応じて形成される記録波形により調整する手段とを備えており、前記調整手段は、さらに、駆動電流に対するレーザ発光量を規格化する補正時において、自動調整の目標点を、標準でイレーズパワーを自動調整の目標とする光ディスクに対しては、リードパワーの記録波形とする手段を備えていることを特徴とする光ディスク記録／再生装置。
【請求項２】
半導体レーザからのレーザ光を光ディスクに照射して記録情報の記録／再生を行う光ディスク記録／再生装置であって、前記半導体レーザに駆動電流を供給する手段と、前記半導体レーザからのレーザ光のパワーをモニタする手段と、前記供給手段により供給される半導体レーザの駆動電流を前記光ディスクの種類に応じて形成される記録波形により調整する手段とを備えており、前記前記調整手段は、さらに、マルチパルスを使用して情報記録を行う光ディスクに対しては、当該マルチパルスをモノパルス化して前記モニタ手段により前記半導体レーザからのレーザ光のパワーをモニタして駆動電流に対するレーザ発光量を補正する手段を備えていることを特徴とする光ディスク記録／再生装置。
【請求項３】
半導体レーザからのレーザ光を光ディスクに照射して記録情報の記録／再生を行う光ディスク記録／再生装置のレーザパワー制御方法であって、前記半導体レーザの駆動電流に対するレーザ発光量を規格化する補正時において、自動調整の目標点を、標準でイレーズパワーを自動調整の目標とする光ディスクに対しては、リードパワーの記録波形として実行することを特徴とするレーザパワー制御方法。
【請求項４】
半導体レーザからのレーザ光を光ディスクに照射して記録情報の記録／再生を行う光ディスク記録／再生装置のレーザパワー制御方法であって、マルチパルスを使用して情報記録を行う光ディスクに対しては、当該マルチパルスをモノパルス化して前記モニタ手段により前記半導体レーザからのレーザ光のパワーをモニタして駆動電流に対するレーザ発光量を補正することを特徴とするレーザパワー制御方法。
【発明の詳細な説明】
【０００１】
【発明の属する技術分野】
本発明は、円盤状の光ディスクと呼ばれる情報記憶媒体に光ビームを照射して記録情報を記録又は再生する光ディスク記録／再生装置に関わり、特に、光ディスク記録時のパワーキヤリフレーションを安定化しかつ高精度化するレーザパワー制御方法に関する。
【０００２】
【従来の技術】
円盤状の光ディスクと呼ばれる情報記憶媒体に光ビームを照射して記録情報を記録又は再生する光ディスク記録／再生装置では、通常、相変化等を利用して情報の上書き記録が可能な、例えば、相変化型の光ディスクに対し、記録情報の再生のための比較的低いパワーの光ビーム、及び、記録又は消去（イレーズ）のための比較的高いパワーの光ビームの、２つのパワーレベルの光ビームを使い分けて、記録情報の記録／再生を行なっている。そのため、従来、切り替え可能な２系統のＡＰＣ（オートパワーコントロール）を有する装置は、例えば、以下の特許文献１によって既に知られている。
【０００３】
ところで、光ディスク記録／再生装置では、通常、光ディスクに照射するレーザ光を発生する半導体レーザの発光パワー（発光量）を安定化して高精度で制御するため、パワーキャリブレーションが実行される。このパワーキャリブレーションでは、駆動電流に対するレーザ発光量を規格化するための、所謂、Ｉ−Ｌ補正と呼ばれる補正が行なわれるが、このＩ−Ｌ補正とは、主に、高温下で記録を行なう場合にはレーザの出力が低下するため、レーザ発生手段である半導体レーザがレーザドライバからのＤＡＣ指令値に従って正しく発光するように、その駆動電流を微調整する手段を指す。なお、従来は、標準でイレーズパワーをＡＰＣの目標とする媒体に対しては、このＩ−Ｌ補正を行なう時には、ＡＰＣ電流をホールドした状態で行っていた。
【０００４】
【特許文献１】
特開２００２−１５８３９６号公報
【０００５】
【発明が解決しようとする課題】
しかしながら、このＡＰＣホールド時間には限りがある上、このホールド時にはパワーが不安定であり、そのため、高精度で正確なＩ−Ｌ補正を行なうことが出来ないという問題点があった。
【０００６】
即ち、イレーズレベルをサンプルしてＡＰＣ電流を制御する通常のＤＶＤ−ＲＷの発光では、傾きＤＡＣを変更した時のＡＰＣ基準電流の変化が大きく、そのため、パワーＤＡＣに依存するパワーレベルを正しく測定することが出来ない。そこで、従来の手段では、ＡＰＣを測定期間でホールドしてＡＰＣ電流が変化しないようにしてＩ−Ｌ補正を行っていたが、しかしながら、このような手段では帰還電流を維持するために大きなコンデンサを持つことが必要であり、好ましくない。
【０００７】
また、情報を記録する媒体である光ディスクは、その種類によって動作に必要となるパワーレベルが異なっており、例えば、標準の記録波形は、ＤＶＤ−ＲやＣＤ−Ｒでは、記録中のスペースレベルがリードレベルであり、一方、ＤＶＤ±ＲＷやＣＤ−ＲＷでは、記録中のスペースレベルがイレーズレベルとなっている。そのため、各種の光ディスクに対して最適で高精度なＩ−Ｌ補正を行なうことは難しかった。特に、Ｉ−Ｌ補正は、ピークパワーレベルを取得し、その絶対値から指令値と発光パワーのずれを校正する手段である。そのため、ピークパワーレベルを正しく捕まえる必要がある。しかしながら、通常のＤＶＤ−ＲＷの発光波形は、所謂、マルチパルスと呼ばれる櫛歯型のパルスが用いられている。加えて、近年における高倍速化に伴って、このマルチパルスの櫛の幅は狭くなる傾向にある。そのため、ＤＶＤ±ＲＷやＣＤ−ＲＷでは、このピークパワー＝Ｐｗを正しく捕まえることは難しくなっている。
【０００８】
そこで、本発明では、上述した従来技術に鑑み、すなわち、各種の光ディスクに対しても安定化したパワーキャリブレーションが可能で、かつ、高精度で行なうことが可能な光ディスク記録／再生装置とそのレーザパワー制御方法を提供することをその目的とする。
【０００９】
【課題を解決するための手段】
本発明によれば、上記の目的を達成するため、まず、半導体レーザからのレーザ光を光ディスクに照射して記録情報の記録／再生を行う光ディスク記録／再生装置であって、前記半導体レーザに駆動電流を供給する手段と、前記供給手段により供給される半導体レーザの駆動電流を前記光ディスクの種類に応じて形成される記録波形により調整する手段とを備えており、前記調整手段は、さらに、駆動電流に対するレーザ発光量を規格化する補正時において、自動調整の目標点を、標準でイレーズパワーを自動調整の目標とする光ディスクに対しては、リードパワーの記録波形とする手段を備えている光ディスク記録／再生装置が提供される。
【００１０】
また、本発明によれば、上記の目的を達成するため、半導体レーザからのレーザ光を光ディスクに照射して記録情報の記録／再生を行う光ディスク記録／再生装置であって、前記半導体レーザに駆動電流を供給する手段と、前記半導体レーザからのレーザ光のパワーをモニタする手段と、前記供給手段により供給される半導体レーザの駆動電流を前記光ディスクの種類に応じて形成される記録波形により調整する手段とを備えており、前記前記調整手段は、さらに、マルチパルスを使用して情報記録を行う光ディスクに対しては、当該マルチパルスをモノパルス化して前記モニタ手段により前記半導体レーザからのレーザ光のパワーをモニタして駆動電流に対するレーザ発光量を補正する手段を備えている光ディスク記録／再生装置が提供される。
【００１１】
さらに、本発明によれば、やはり上記の目的を達成するため、半導体レーザからのレーザ光を光ディスクに照射して記録情報の記録／再生を行う光ディスク記録／再生装置のレーザパワー制御方法であって、前記半導体レーザの駆動電流に対するレーザ発光量を規格化する補正時において、自動調整の目標点を、標準でイレーズパワーを自動調整の目標とする光ディスクに対しては、リードパワーの記録波形として実行するレーザパワー制御方法が提供される。
【００１２】
そして、やはり、上記の目的を達成するため、半導体レーザからのレーザ光を光ディスクに照射して記録情報の記録／再生を行う光ディスク記録／再生装置のレーザパワー制御方法であって、マルチパルスを使用して情報記録を行う光ディスクに対しては、当該マルチパルスをモノパルス化して前記モニタ手段により前記半導体レーザからのレーザ光のパワーをモニタして駆動電流に対するレーザ発光量を補正するレーザパワー制御方法が提供される。
【００１３】
すなわち、本発明によれば、Ｉ−Ｌ補正時にはイレーズパワーレベルをリードパワーとする記録波形にし、ＡＰＣの目標点をリードパワーレベルにし、サーボのサンプルゲインをイレーズパワーレベルからリードパワーレベルにする。また、ピークパワーレベルを取得し、一定の発光量が得られるように傾きＤＡＣを補正するものである。
【００１４】
【発明の実施の形態】
以下、本発明の実施の形態について、添付の図面を用いて詳細に説明する。
まず、添付の図２は、本発明の一実施の形態になる光ディスク記録／再生装置の構成の詳細を示すブロック図であり、図において、符号１０１は、光学的情報記録媒体である光ディスクを示しており、より具体的には、ＣＤ−Ｒ／ＲＷなどの追記／上書き記録が可能な光ディスクである。なお、本発明では、この光ディスクはＣＤ−Ｒ／ＲＷだけに限らず、その他、例えばＤＶＤやＭＤ等のディスクも含めた追記／上書が可能なディスクも含まれることは言うまでもない。
【００１５】
また、図中の符号１０２は、ピックアップ（ヘッド）であり、具体的には、半導体レーザ、光学系、フォーカシングアクチュエ−タ、トラッキングアクチュエータ、フォトディテクタ、レンズポジションセンサ等で構成される。また、図中の符号１０３は、上記ディスク１０１を回転駆動するためのモータである、所謂、スピンドルモータである。
【００１６】
さらに、図において、符号１０４は、上記ヘッドからの電流出力をモニタして電圧に変換するＩ−Ｖアンプであり、符号１０５は、上記ピックアップ１０２の半導体レーザを駆動制御するためのレーザドライバを示す。なお、このレーザドライバ１０５は、入力されたＮＲＺＩ信号を発光波形に変換し、半導体レーザのパワーレベル及び発光パルス幅の制御を行う。
【００１７】
また、１０６はモータドライバであり、上記のスピンドルモータ１０３を駆動制御する。すなわち、このモータドライバ１０６は、ＣＡＶ制御時には、後に述べるスピンドル制御回路１１１から入力される倍速に応じた一定周波数を電圧変換し、スピンドルモータ１０３を駆動する。一方、ＣＬＶ制御時には、上記スピンドル制御回路１１１から入力されるウォブル信号周期に基づいて生成された可変周波数を電圧変換して、スピンドルモータ１０３を駆動する。
【００１８】
一方、図中の符号１０７は、アナログ信号処理回路を示しており、この処理回路は、フォーカスエラーやトラッキングエラー信号に基づいて、フォーカシングアクチュエータやトラッキングアクチュエータの制御を行う。また、符号１０８はアナログ信号処理回路であり、上記のＩ−Ｖアンプ１０４からの入力を演算し、フォーカスエラー信号、トラッキングエラー信号、そして、プッシュプル信号を生成するものである。
【００１９】
また、符号１０９は、反射光処理部であり、ランニングＯＰＣ（Ｏｐｔｉｍｕｍ  Ｐｏｗｅｒ  Ｃａｌｉｂｒａｔｉｏｎ）に用いる反射光を処理する。すなわち、反射光の増減からレーザドライバヘ設定するパラメータを微調整する。１１０は記録パルス発生器であり、以下に説明するエンコーダ１１５から入力される変調データから、ＮＲＺＩを生成して上記レーザドライバ１０５ヘ出力する。
【００２０】
上記にも述べたスピンドル制御回路１１１は、図示しないウォブル信号発生器や固定周期発生器からの入力により、ドライバ駆動のための周波数を生成する。また、アシンメトリ処理部１１２は、アナログ信号処理回路１０７からのＲＦ信号から、記録パワー毎のベータ（β）を作成する。すなわち、ＯＰＣ時には、このベータ（β）をもとに、レーザ光の最適パワーレベルを決定する。また、イコライザ１１３は、ＲＦ信号の波形等化を実施する。
【００２１】
また、上記にも述べたウォブル処理部１１４は、上記アナログ信号処理回路１０７で生成されたプッシュプル信号から、ウォブル周期を作成する。なお、このウォブル周期は、記録クロックの生成やスピンドル制御にも使用される。加えて、セクタ内のシンクフレームタイミングも、このウォブル周期で作成することが可能である。
【００２２】
次に、図中の符号１１５は、所謂、エンコーダであり、このエンコーダにより記録データを８／１６変調する。また、符号１１６で示すＰＬＬは、二値化信号からチャネルクロックを生成し、符号１１７で示す二値化回路は、上記のＲＦ信号を二値化する。さらに、符号１１８で示すデコーダは、上記ＰＬＬ１１６が作成したチャネルクロックにより上記二値化信号をデコードし、もって、データを復調するものである。
【００２３】
最後に、図中に符号１１９で示すＭＰＵは、上記に述べた各回路ヘクロックや制御信号の供給を行なうと共に、割り込み信号の処理やファームウェアの制御等を行い、もって、装置全体の動作を制御するものである。また、このＭＰＵ１１９は、レーザ駆動電流を制御するレーザドライバ１０５とアナログ信号処理回路１０８をソフトウェアで管理して、以下に詳細に説明する本発明になるレーザパワー制御方法を実現する。なお、これらアナログ信号処理回路１０８とレーザドライバ１０５の主要ブロック図を、以下に、それぞれ図３、図４により詳細に示す。
【００２４】
まず、添付の図３は、上記ＡＰＣ制御を行なうためのアナログ信号回路のブロック図である。すなわち、パワーレベルモニタ４０１により検出されるフロントモニタ電圧は、例えば、サンプルホールドによりパワーレベルのスペースレベルをサンプルしたものである。この入力はＷＲＤＡ／ＲＥＤＡと呼ばれるＤＡＣ４０５に入る。このＷＲＤＡは、上記入力電圧が消去レベルの場合に用いるＤＡＣであり、具体的には、通常のＤＶＤ−ＲＷの場合に選択される。他方、ＲＥＤＡは、上記入力電圧がリードレベルの場合に用いられるＤＡＣであり、ＤＶＤ−Ｒの場合に選択される。そして、これらの選択は、論理スイッチ４０２、４０３で行っており、通常は、媒体判別時においてどちらか一方に設定される。
【００２５】
なお、本発明のレーザパワー制御方法におけるＩ−Ｌ補正の場合には、一時的に、この論理スイッチ４０３は、ＤＶＤ−Ｒのモード、即ち、ＲＥＤＡのＤＡＣ４０５を選択するように切り替える。これによれば、記録波形とＡＰＣとが、あたかも、ＤＶＤ−Ｒのように動作するようになる。また、その際、トラツキングサーボ信号も、スペースレベルでサンプルしている場合には、トラツキングサーボサンプルモードもＤＶＤ−Ｒモードへ切り替える。そして、このＲＥＤＡのＤＡＣ４０５からの出力は、ＡＰＣ帰還回路４０６を介して、以下の図４に示されるレーザドライバ１０５へ出力される。
【００２６】
次に、添付の図４は、マルチパルスを生成し、かつ、そのレベルを多値に変化させるためのレーザドライバのブロック図である。図からも明らかなように、このレーザドライバからレーザダイオード５１６（半導体レーザ）ヘ出力される電流は、上記図３のＡＰＣブロックからのＡＰＣ電流５０１と、このレーザドライバが単独で持つＤＣ電流５０２の制御ＤＡＣ、即ち、ＰｗＤＡＣ５１０、ＰｅＤＡＣ５１１、ＰｃＤＡＣ５１２、ＰｂＤａｃ５１３と、そして、ＡＣ電流５０３である高周波重畳成分、すなわち、ＨＦＤＡＣ５１４である。なお、これらＤＣ電流のＤＡＣ５１０、５１１、５１２、５１３は、記録二値化信号であるＮＲＺＩと、記録期間論理信号であるＷＲＧＡＴＥと、そして、予め設定された固定のタイマ１〜５（５０５，５０６，５０７，５０８）とによって、ライトパルスを構成してい。
【００２７】
また、上記のＨＦＤＡＣ５１４は、その高周波を重畳する期間を、ＮＲＺＩ５０４及びＷＲＧＥＴＥ５１７によって発生される。さらに、上記のＤＣ電流のＤＡＣ５１０、５１１、５１２、５１３、５１４は、傾きＤＡＣのＰＭＡＸ５１５により一律に制御される。すなわち、本発明のＩ−Ｌ補正では、この傾きＤＡＣであるＰＭＡＸ５１５を可変して、ある一定のパワーが出力されるＰｍａｘを決定する。また、ＤＣ電流分のＤＡＣ５０１、５１０、５１１、５１２、５１３、５１４の電流は、全ての和として上記レーザダイオード５１６へ流れ、その総和電流によってレーザ発光が行われる。
【００２８】
次に、上記に構成の詳細を説明した光ディスク記録／再生装置において、本発明のレーザパワー制御方法になるＩ−Ｌ補正の詳細について、添付の図１に示すフローチャートを参照しながら、以下に説明する。
【００２９】
まず、図のフローにおいて、Ｉ−Ｌ補正を開始すると（ステップ６０１）、上記図４に示したレーザドライバを設定することによりモノパルスの設定を行なう（ステップ６０２）。その後、ＡＰＣ制御を切り替え（ステップ６０３）、すなわち、ＤＶＤ−Ｒモードにする。さらに、通常パワーで５ｍＷの発光をするレベルである、例えば「５０」を、ＤＣ電流制御ＤＡＣに設定する（ステップ６０４）。そして、リトライ回数が所定の回数（例えば、１０回）を越えていないか否かを判定する（ステップ６０５）。
【００３０】
上記の判定の結果、リトライ回数が所定の回数を越えていない（ｙｅｓ）と判定された場合には、上記で設定したレベルでＤＡＣ記録を実施する（ステップ６０６）。その後、フロントモニタレベルを上記の設定発光パワー５ｍＷと比較し（ステップ６０７）、そのレベルが規定範囲内である３％以内（５ｍＷ±３０％）であれば（ｙｅｓ）、正常終了処理へ、そうでなければ、リトライ回数を加算（ステップ６０８）した後、傾きＤＡＣを変更して（ステップ６０９）、リトライに入る。すなわち、上記ステップ６０５でリトライ回数が所定の回数を越えていないか否かを判定し、さらに、変更したレベルでＤＡＣ記録を実施し（ステップ６０６）、その結果、再度、そのレベルが規定範囲内である３％以内（５ｍＷ±３０％）であるか否かを判定する（ステップ６０９）。
【００３１】
上記ステップ６０９における判定の結果、規定の回数のリトライを経ても範囲外の場合（図のステップ６０９で「ｎｏ」の場合）は、エラー設定へ進み（ステップ６１０）、エラー終了処理を行う。なお、上記のステップ６０９で正常終了（ｙｅｓ）と判定された場合、及び、異常（エラー）と判定された場合のどちらの場合にも、処理は再びモノパルス設定（ステップ６１１）、さらに、ＡＰＣモードの切替（ステップ６１２）へと進む。すなわち、それぞれ、先に行ったモノパルス設定をＤＶＤ−ＲＷのパルス設定に戻し、ＡＰＣ設定をＤＶＤ−Ｒモードから元に戻して、処理を終了する。
【００３２】
なお、上記において、ＡＰＣの目標点は、リードレベル制御ＤＡＣ、イレーズレベル制御ＤＡＣの各々について、装置の出荷時に学習しておく。また、上記の図４のレーザドライバにおいて、Ｉ−Ｌ補正時における記録発光を行う前に、レーザドライバのパワーＤＡＣ設定をスペースレベルからリードレベルに変更する。同時に、ＡＰＣの目標点を、リードレベルに変更する。さらに、サーボのサンプルレベルのゲイン設定を、リードレベルに変更する。この時、変更する設定値は、全てメモリ等にバックアップしておく。加えて、記録時のマークパワーレベルを測定し、一定の発光パワーになるように、傾きＤＡＣを変更する。そして、Ｉ−Ｌ補正の終了後に、バックアップした設定に戻す。
【００３３】
ここで、添付の図５には、上記で構成を説明した光ディスク記録／再生装置におけるＩ−Ｌ補正のための信号波形、特に、記録二値化信号（＝ＮＲＺＩ：図５（Ａ））と、ＡＰＣ（オートパワーコントロール）のパワーレベルサンプル期間（ず５（Ｂ））、並びに、通常のＤＶＤ−ＲＷの発光波形（図５（Ｃ））と、本発明によるＩ−Ｌ補正時の発光波形（図５（Ｄ））を、それぞれ、示している。
【００３４】
なお、上記でも述べたが、Ｉ−Ｌ補正とは、主に、高温下で記録する場合にレーザの出力が低下するが、かかる場合においても半導体レーザがレーザドライバのＤＡＣの指令値通りに発光するように、駆動電流を微調整するためのものである。そして、この実施の形態の場合では、上記図４に示したように、傾きＤＡＣと呼ばれるＰＭＡＸを変更することで、ＰｗＤＡＣ、ＰｅＤＡＣ、ＰｃＤＡＣ、ＰｂＤａｃ及びＨＦＤＡＣの勾配を一律にアップさせることで、レーザ出力を制御している。
【００３５】
このように、上記に述べたレーザパワー制御方法によれば、ＲＷ（リード・ライト）のＩ−Ｌ補正の際に、イレーズパワー＝リードパワーとし、また、ＡＰＣのサンプルをリードレベルで行うことにより、ＬＤＤの傾きを正確に補正することが可能となる。これを以下に、図を用いて詳細に説明する。
【００３６】
添付の図６のグラフは、パワーＤＡＣと発光量との関係を、通常のＤＶＤ−ＲＷの場合（Ａ）と、本発明のＩ−Ｌ補正の場合（Ｂ）とで比較したものである。なお、このグラフでは、これらを、それぞれ、二つの異なる傾きＤＡＣによる発光特性Ｅｍ１とＥｍ２で示している。
【００３７】
即ち、イレーズレベルをサンプルしてＡＰＣ電流を制御する、通常のＤＶＤ−ＲＷの発光では（図６（Ｂ）を参照）、傾きＤＡＣを変更した時におけるＡＰＣ基準電流（図６（Ｂ）のＡＰＣモニタレベル）の変化が大きく、そのため、パワーＤＡＣ（指令値）に依存するパワーレベルを正しく測定することができない。このため、従来の手段ではＡＰＣを測定期間でホールドしてＡＰＣ電流が変化しないようにしてＩ−Ｌ補正を行っていたが、この手段では帰還電流を維持するために大きなコンデンサを持つことが必要であり、好ましくなかった。
【００３８】
これに対し、本発明の発光波形では、ＡＰＣはリードレベル（図６（Ａ）のＡＰＣモニタレベル）をサンプルできるため、傾きＤＡＣによる影響は、無視できるレベルとなる。よって、ＡＰＣをホールドすることなく、正しいパワーレベルを安定して取得することができる。なお、この発光波形は、ＤＶＤ−Ｒのモノパルスと同じ波形であり、ＤＶＤ−Ｒを記録できるドライブであれば容易に作り出すことができる。
【００３９】
また、通常のＤＶＤ−ＲＷの発光波形は、上述したように、マルチパルスと呼ばれる櫛型のパルスを用いる。しかしながら、近年の高倍速化に伴い、このマルチパルスの櫛の幅は狭まっているため、そのピークパワー＝Ｐｗを正しく捕まえることが難しくなっている。なお、Ｉ−Ｌ補正はピークパワーレベルを取得し、その絶対値から指令値と発光パワーのずれを校正する手段であるため、ピークパワーレベルを正しく捕まえる必要がある。
【００４０】
そこで、本発明では、本来マルチパルスであるＲＷ、Ｒの発光波形を、Ｉ−Ｌ補正時のみ、上記図５（Ｄ）の波形２０４のように、マルチパルスをモノパルスとし、これにより、ピークパワーの期間を広げることでピークパワーを正しく測定することが出来るようにした。すなわち、フロントモニタの帯域を稼いで、正しく測定可能とし、もって、正確な発光パワーが得られるようになる。
【００４１】
このように、本発明のレーザパワー制御方法によれば、ＤＶＤ−ＲＷの場合でも、ＡＰＣをホールドすることなしに、Ｉ−Ｌ補正が可能となり、もって、光ディスク記録／再生装置において安定した発光レベルを得ることができる。
【００４２】
【発明の効果】
以上の詳細な説明からも明らかなように、本発明になるレーザパワー制御方法によれば、ＤＶＤ−ＲＷの場合でも、ＡＰＣをホールドすることなしに、Ｉ−Ｌ補正が可能となり、すなわち、各種の光ディスクに対しても安定化したパワーキャリブレーションが可能であり、各種の光ディスクに対して情報の記録を高精度で行なうことが可能な光ディスク記録／再生装置を提供することが可能となる。
【図面の簡単な説明】
【図１】本発明の一実施の形態になる光ディスク記録／再生装置におけるレーザパワー制御方法を示す動作フロー図である。
【図２】上記本発明の一実施の形態になる光ディスク情報記録／再生装置の概略構成を示すブロック図である。
【図３】上記光ディスク情報記録／再生装置におけるアナログ信号回路の一例を示すブロック図である。
【図４】上記光ディスク情報記録／再生装置におけるレーザドライバの構成の一例を示すブロック図である。
【図５】本発明のレーザパワー制御方法を説明するための、上記光ディスク情報記録／再生装置における各部の出力信号波形を示す図である。
【図６】パワーＤＡＣと発光量との関係を、通常のＤＶＤ−ＲＷの場合（Ａ）と、本発明のＩ−Ｌ補正の場合（Ｂ）とで比較して示したグラフの図である。
【符号の説明】
１０１  光ディスク
１０２  ピックアップ
１０５  レーザドライバ
１０７  アナログ信号回路
１１９  ＭＰＵ
【図１】
2004273011.tif 000003
【図２】
2004273011.tif 000004
【図３】
2004273011.tif 000005
【図４】
2004273011.tif 000006
【図５】
2004273011.tif 000007
【図６】
2004273011.tif 000008